(57)【特許請求の範囲】
【請求項１】
移動間仕切の上端及び下端に、上下方向に摺動可能に設けられ、移動間仕切を床と天井との間に固定するための上部及び下部摺動部材と、前記移動間仕切の側部に設けられ、横方向に配置された移動間仕切同士を連続させるための側部部材とを有する、直交する移動間仕切同士の間に形成される隅部角形空間閉塞装置であって、
前記移動間仕切の側端面の上端部及び下端部に、移動間仕切を平面視Ｌ字状又はＴ字状に配置したときに、直角に交わる移動間仕切における上部摺動部材の側面と側部部材の上面との間、および同じく下部摺動部材の側面と側部部材の下面との間に形成される隅部角形空間内へ突入させうる閉塞体を、移動間仕切における側部部材の側端面に取付けられた遮音材の上端部及び下端部を介して、移動間仕切本体に着脱自在として設けたことを特徴とする直交する移動間仕切同士の間に形成される隅部角形空間閉塞装置。
【請求項２】
閉塞体の外側部を、弾性変形可能なものとしたことを特徴とする請求項１記載の直交する移動間仕切同士の間に形成される隅部角形空間閉塞装置。
【発明の詳細な説明】
【０００１】
【発明の属する技術分野】
本発明は、移動間仕切に係り、特に、移動間仕切を平面視Ｔ字型、又は、Ｌ字型にレイアウトした場合に、交差する間仕切同士の上方または下方において、天井との間、または床面との間に生じる角形空間を閉塞しうる装置に関する。
【０００２】
【従来の技術】
従来、ホテルや旅館の大広間等で使用される移動間仕切は、移動間仕切本体が収納されている間仕切収納部から、複数の移動間仕切を、順次、所望の位置に移動させ、複数の移動間仕切を配置することにより、部屋の内部を仕切っている。
【０００３】
この場合、移動間仕切本体の周面に取付けられている上下、又は横方向に移動可能な摺動部材を、間仕切パネルから天井のスライドレール及び床面、若しくは、壁面に向かって突出させ、間仕切パネルを、床及び天井、壁面間で突っ張らせることによって固定している。
【０００４】
【発明が解決しようとする課題】
しかし、前述した従来の移動間仕切においては、移動間仕切のレイアウトをＴ字型又はＬ字型にしたときに、直角に交わる移動間仕切における上部摺動部材の側面と側部部材の上面との間、および同じく下部摺動部材の側面と側部部材の下面との間に、角形の隅部空間が形成されることとなる。
【０００５】
このように移動間仕切同士の間に角形の隅部空間が形成されると、遮音性、遮光性等の点で不具合が生じ、部屋の使用の際に、音漏れや、光が漏れる等の問題が生じ、移動間仕切りとして好ましくない事態となる。
【０００６】
本発明は、従来の技術が有する上述のような問題点に鑑みてなされたもので、移動間仕切のレイアウトを、平面視Ｔ字型又はＬ字型にしたときに、上記のように移動間仕切の間の上方又は下方に生じる角形空間を閉塞することができる移動間仕切の隅部角形空間の閉塞装置を提供することを目的としている。
【０００７】
【課題を解決するための手段】
本発明は、次のようにして上記課題を解決している。
(１)移動間仕切の上端及び下端に、上下方向に摺動可能に設けられ、移動間仕切を床と天井との間に固定するための上部及び下部摺動部材と、前記移動間仕切の側部に設けられ、横方向に配置された移動間仕切同士を連続させるための側部部材とを有する、直交する移動間仕切同士の間に形成される隅部角形空間閉塞装置であって、前記移動間仕切の側端面の上端部及び下端部に、移動間仕切を平面視Ｌ字状又はＴ字状に配置したときに、直角に交わる移動間仕切における上部摺動部材の側面と側部部材の上面との間、および同じく下部摺動部材の側面と側部部材の下面との間に形成される隅部角形空間内へ突入させうる閉塞体を、移動間仕切における側部部材の側端面に取付けられた遮音材の上端部及び下端部を介して、移動間仕切本体に着脱自在として設ける。
【０００８】
(２)上記(１)項において、閉塞体の外側部を、弾性変形可能なものとする。
【０００９】
【発明の実施の形態】
次に、本発明に係る直交する移動間仕切同士の間に形成される隅部角形空間の閉塞装置の実施形態を、添付図面を参照しながら説明する。
【００１０】
図１は、移動間仕切(10)を平面視Ｌ字状に配置した状態を示し、図２は、移動間仕切(10)を平面視Ｔ字状に配置した状態を示している。
移動間仕切(10)には、図示していないが、ハンドル操作によって駆動されるギア装置とねじ棒を含むリンク機構が内蔵されている。
リンク機構は、上下方向に駆動されることにより、移動間仕切(10)の上下端面から、上部及び下部摺動部材を突出させる機能を有している。これらの摺動部材は、移動間仕切(10)の側方から操作されるハンドル(12)の回転によって、移動間仕切(10)の本体から突出させられる。
【００１１】
図３は、移動間仕切(10)を平面視Ｌ字状又はＴ字状に配置した状態を横方向から見た場合の概略を示しており、上部摺動部材(14)及び下部摺動部材(16)を所定量上下動させて、間仕切本体(10a)(10b)を、天井のスライドレール(18)の下面と床面(20)との間に固定している。
【００１２】
また、間仕切本体(10a)の側面には、側部部材(22)が突出しており、この側部部材(22)が、図３における紙面と直交方向に配置された間仕切本体(10b)の側面に突き合わされた状態で当接することにより、直交して配置された間仕切本体(10a)(10b)間の隙間を閉塞している。
【００１３】
しかし、図３の状態では、間仕切本体(10a)(10b)における上部摺動部材(14)(14)と側部部材(22)の上面との間、および下部摺動部材(16)(16)と側部部材(22)の下面との間に、隅部角形空間(17)が生じることになる。
【００１４】
図４は、前述した隅部角形空間(17)を閉塞するための対策が施された本実施形態の隙間閉塞装置の要部を示している。同図に示すように、本実施形態の移動間仕切の閉塞装置は、遮音材(24)と閉塞部材(26)とから構成されている。
【００１５】
移動間仕切(10)の側端面には、弾性変形可能なゴムからなる遮音材(24)が、前述した側部部材(22)の側面から側方向に突出させて取り付けられている。遮音材(24)の上下の端部には、後述する閉塞部材(26)を移動間仕切(10)の下端部及び上端部（図示せず）に固定するための２個のビス孔(24a)が穿設されている。
【００１６】
遮音材(24)は、移動間仕切(10)の側端面に当接する底部(24b)と、ほぼ半円状に形成された中空の円弧状部(24c)とを有している。遮音材(24)は、その下端部を、移動間仕切(10)の側端部(11)から矢印Ａ方向に、折り曲げて引き起こすことができるようになっている。
【００１７】
閉塞部材(26)は、支持片(26a)と、中空状に形成された閉塞体(26b)と、受片(27)とを備えてなり、支持片(26a)には、これを遮音材(24)の円弧状部(24c)内へ挿入したときに、前記ビス孔(24a)と連通しうる取付孔(26c)が穿設されている。
【００１８】
閉塞体(26b)は、弾力性を有するゴムからなり、隣接する移動間仕切(10)同士の間に生ずる隙間を閉塞する際に、移動間仕切(10)同士が近接することに伴って弾性変形し易いよう、略半円筒状に形成されている。また、受片(27)が、支持片(26a)の裏面に取り付けられている。
【００１９】
図４によく示されているように、閉塞体(26b)の高さは、遮音材(24)の高さより、かなり大である。
【００２０】
次に、実施形態の移動間仕切の隅部角形空間閉塞装置における操作要領について説明する。
【００２１】
図５に示すように、移動間仕切(10)の側部部材(22)の上端及び下端と、天井のスライドレール(18)の下面との間隙Ｔ、及び床との間隙Ｕを実測し、閉塞部材(26)の閉塞体(26b)の長さが、実測された間隙Ｔ及びＵより１〜２mm短くなるように、ゴムからなる閉塞体(26b)を、はさみ等で切断する。
【００２２】
移動間仕切(10)をＬ字状又はＴ字状に配置する前に、図４に矢印Ａで示すように、遮音材(24)の下端部を引き起こす。
【００２３】
次に、引き起こした遮音材(24)の円弧状部(24c)の内部に、閉塞部材(26)における支持片(26a)を挿入し、図６に示す状態とする。
【００２４】
ついで、閉塞部材(26)を遮音材(24)とともに、図６の矢印Ｂ方向に下向回動させて元に戻し、図７に示すように、閉塞体(26b)を、移動間仕切(10)の上部および下部において、側方へ突出させるとともに、ビス孔(24a)から２本のビス(28)を挿入し、閉塞部材(26)の支持片(26a)に穿設された取付孔(26c)を経て、移動間仕切(10)の本体の側端面(11)（図６）に螺合して固定する。
【００２５】
なお、以上の図においては、下端部についてのみしか示していないが、上端部についても、同様の要領で、閉塞部材(26)の支持片(26a)を遮音材(24)に挿入して固定する。
【００２６】
このようにして、図７に示すように、閉塞部材(26)は、図５で示した間隙Ｔ及びＵの上下幅をもって、遮音材(24)より外側方へ突出させることができる。
【００２７】
図８は、移動間仕切(10)を平面視Ｔ字型にレイアウトした状態を、一部を断面して示しており、前述した閉塞部材(26)によって、隙間(17)を閉塞した場合である。
同図に示すように、閉塞部材(26)は、移動間仕切(10)の下方又は上方へ入り込んだ状態となっており、これにより、上部及び下部摺動部材(14)(16)及び、側部部材(22)の下縁部及び上縁部の間に生じた隙間（図示せず）は閉塞される。
なお、移動間仕切(10)を平面視Ｌ字型にレイアウトした際も、図８に示した場合と同様に、隙間を閉塞することができる。
【００２８】
以上説明したように、本実施形態の移動間仕切の隙間閉塞装置によれば、遮音材(24)に取り付けた閉塞部材(26)によって、移動間仕切(10)の下縁部及び上縁部の間に生ずる隙間を閉塞しうるので、移動間仕切(10)をＴ字型又はＬ字型に配置したときに、隙間がなくなり、移動間仕切(10)によって仕切られた部屋の間の遮音性及び遮光性が向上する。これにより、間仕切としての機能性を大幅に向上させることが可能となる。
【００２９】
なお、実施の形態では、遮音材(24)及び閉塞部材(26)の材質として、ゴムを使用しているが、隙間を閉塞することができ、かつ、弾性変形可能な軟質な材料であれば、どのような材料でもよい。
また、実施の形態では、移動間仕切(10)を天井に設けられたスライドレールと床面との間に固定する場合について説明したが、スライドレールを介在させることなく、直接、天井と床面との間に固定する場合にも適用可能である。
【００３０】
【発明の効果】
本発明によれば、次のような効果を奏することができる。
(ａ)請求項１の発明によると、移動間仕切本体の側端から突出する閉塞体を設けてあるので、移動間仕切を平面視Ｌ字状、又はＴ字状に配置したときに、隣接する移動間仕切における上部摺動部材の側面と側部部材の上面との間、および同じく下部摺動部材の側面と側部部材の下面との間に形成される隅部角形空間を、この閉塞体によって閉塞することができる。これにより、仕切られた部屋の間の遮音性、遮光性を維持することができる。
また、閉塞体を移動間仕切本体の上部及び下部の側端部に、遮音材を介して取り付けてあるので、移動間仕切によって仕切られた部屋の間の遮音性が更に向上する。
【００３１】
(ｂ)請求項２の発明によると、閉塞体の外側部を弾性変形可能としてあるので、側部部材の突出量に対応して、閉塞体の外側が弾性変形し、移動間仕切間に生ずる隙間を確実に閉塞することができる。
【図面の簡単な説明】
【図１】  移動間仕切をＬ字型に配置した状態を示す平面図である。
【図２】  移動間仕切をＴ字型に配置した状態を示す平面図である。
【図３】  ２枚の移動間仕切の配置状態を示す概略側面図である。
【図４】  本発明の一実施形態に係る移動間仕切同士の隅部角形空間閉塞装置の要部分解斜視図である。
【図５】  移動間仕切とスライドレール及び床面との関係を示す側面図である。
【図６】  本発明の一実施形態に係る移動間仕切同士の隅部角形空間閉塞装置の要部組立斜視図である。
【図７】  同じく一実施形態に係る移動間仕切同士の隅部角形空間閉塞装置の使用状態を示す斜視図である。
【図８】  本発明の一実施形態に係る移動間仕切同士の隅部角形空間閉塞装置によって角形空間が閉塞された移動間仕切の配置状態を示す概略説明図である。
【符号の説明】
(10)移動間仕切
(10a)間仕切本体
(10b)間仕切本体
(11)側端面
(12)ハンドル
(14)上部摺動部材
(16)下部摺動材
(17)隅部角形空間
(18)スライドレール
(20)床面
(20b)係止爪
(22)側部部材
(24)遮音材
(24a)ビス孔
(24b)底部
(24c)円弧状部
(26)閉塞部材
(26a)支持片
(26b)閉塞体
(26c)取付孔
(27)背面部
(28)ビス
【図１】
0003684494.tif 000002
【図２】
0003684494.tif 000003
【図３】
0003684494.tif 000004
【図４】
0003684494.tif 000005
【図５】
0003684494.tif 000006
【図６】
0003684494.tif 000007
【図７】
0003684494.tif 000008
【図８】
0003684494.tif 000009